(57)【要約】      （修正有）【課題】簡易かつ安価に製造することが可能なポンプ式容器用スタンドを提供する。【解決手段】ポンプ式容器用スタンド１は、スタンド本体と、踏み板５と、長ネジと、押し板７と、調整用ナット８と、調整用プレート１１、１２、１３とを有する。スタンド本体は、下端側と上端側のそれぞれに開口部２０１、２０２が設けられた前面を備える略角筒状の支柱２、支柱２が立設される平板状の台座３、及び、支柱２の前面側略中間部に取り付けられる容器台４により構成される。踏み板５を踏むと、長ネジが徐々に湾曲しながら下方に移動することにより、押し板７が降下して、容器台４に載せられたポンプ式容器の頭頂部を押し込む。【選択図】図５
0003229159.tif 000002
【実用新案登録請求の範囲】
【請求項１】
下端側と上端側のそれぞれに開口部が設けられた前面を備える略角筒状の支柱、当該支柱が立設される平板状の台座、及び、当該支柱の前面側略中間部に取り付けられる容器台により構成されるスタンド本体と、
長ネジ装着孔が設けられ前記支柱の下端側開口部から挿入される支持部、及び、当該支持部に対して斜め下向きに設けられ前記台座上に傾斜して配置される踏込み部を備える踏み板と、
前記支柱の内部に配置され、下端部が前記長ネジ装着孔に挿入され緊結具を用いて締結されることにより前記台座から所定の高さ以上離隔した状態で保持される長ネジと、
前記支柱の上端側開口部から挿入され前記長ネジの上端部に締結される連結部と、前記容器台の上方に配置される本体部とを備える押し板と、
前記長ネジの中間より下端部寄りの位置に取り付けられる調整用ナットと、
前記長ネジの挿入孔が設けられ、前記長ネジに挿入されるとともに前記支持部に固着される、前記支柱の内径よりも小径である円盤状の第１の調整用プレートと、
前記長ネジの挿入孔が設けられ、前記長ネジに挿入されて前記調整用ナットに揺動可能に掛け止められる、前記支柱の内径よりも小径である円盤状の第２の調整用プレートと、
前記長ネジの挿入孔が設けられ、前記長ネジに挿入されるとともに前記連結部に固着される、前記支柱の内径よりも小径である円盤状の第３の調整用プレートと、を有し、
無負荷状態においては、前記第２の調整用プレートが前記支柱の後面から離隔しており、前記踏み板を踏み込んだとき、前記長ネジが前記第２の調整用プレートが前記支柱の後面に当接することを特徴とするポンプ式容器用スタンド。
【請求項２】
前記台座上には、前記踏み板の下端部が載置される滑り止め用マットが取り付けられており、
前記踏み板が、前記支持部の裏面と前記踏込み部の裏面とのなす角度が１７０°を基準としてプラスマイナス３°以内となるように形成されており、
前記調整用ナットが、前記長ネジの全長と前記長ネジの下端から前記調整用ナットの取り付け高さまでの比率が１００：３６ないし１００：３８となる位置に取り付けられており、
前記第１の調整用プレートの直径が、前記第２及び第３の調整用プレートの直径よりも小さく設定されており、
前記第１ないし第３の調整用プレートの各挿入孔が、前記支柱の前面側に偏心した位置に設けられていることを特徴とする請求項１記載のポンプ式容器用スタンド。
【考案の詳細な説明】
【技術分野】
【０００１】
本考案は、ポンプ式容器が所定の高さ位置に載置され、踏み板（ペダル）を踏み込むことにより当該ポンプ式容器に収容された内容物（手指消毒液等）を吐出ないし噴霧させることが可能な、ポンプ式容器用スタンドに関する。
【背景技術】
【０００２】
手指消毒液等の容器として、頭頂部に設けられたヘッドを下方に押し込むことによりノズルから内容物が吐出されるポンプ式の容器が多用されている。近年、新型コロナウイルス等の感染症予防のため、不特定多数の人が出入りする店舗や施設等の出入り口付近に、ポンプ式の手指消毒液用容器が設置されている。かかるポンプ式容器は、通常、一方の手でヘッドを押し込み、他方の手で吐出される内容物を受け取ることから、不特定多数の者が触れるヘッドが不衛生である、手に荷物を持った状態では取り扱いにくい、両手に同時に消毒液等を吹き付けられないといった問題がある。
【０００３】
このような問題を解決するため、従来、ペダルを足で踏むことにより、手を使うことなく、ヘッドを押し込んで内容物を吐出ないし噴霧させることが可能な足踏み式のスタンドが知られている。
【先行技術文献】
【特許文献】
【０００４】
【特許文献１】特開２００８−２２９２９６号公報
【考案の概要】
【考案が解決しようとする課題】
【０００５】
しかしながら、従来知られている足踏み式のスタンドは内部構造、特に、ペダルの踏込み力をポンプ式容器のヘッドに伝えるまでの機構が複雑であり、特殊な部品を多用するものであるため、安価又は簡易に製造することが困難であった。
【０００６】
本考案は、上記課題に鑑みてなされたものであり、簡易かつ安価に製造することが可能なポンプ式容器用スタンドを提供することを目的とする。
【課題を解決するための手段】
【０００７】
本考案のポンプ式容器用スタンドは、
下端側と上端側のそれぞれに開口部が設けられた前面を備える略角筒状の支柱、当該支柱が立設される平板状の台座、及び、当該支柱の前面側略中間部に取り付けられる容器台により構成されるスタンド本体と、
長ネジ装着孔が設けられ前記支柱の下端側開口部から挿入される支持部、及び、当該支持部に対して斜め下向きに設けられ前記台座上に傾斜して配置される踏込み部を備える踏み板と、
前記支柱の内部に配置され、下端部が前記長ネジ装着孔に挿入され緊結具を用いて締結されることにより前記台座から所定の高さ以上離隔した状態で保持される長ネジと、
前記支柱の上端側開口部から挿入され前記長ネジの上端部に締結される連結部と、前記容器台の上方に配置される本体部とを備える押し板と、
前記長ネジの中間より下端部寄りの位置に取り付けられる調整用ナットと、
前記長ネジの挿入孔が設けられ、前記長ネジに挿入されるとともに前記支持部に固着される、前記支柱の内径よりも小径である円盤状の第１の調整用プレートと、
前記長ネジの挿入孔が設けられ、前記長ネジに挿入されて前記調整用ナットに揺動可能に掛け止められる、前記支柱の内径よりも小径である円盤状の第２の調整用プレートと、
前記長ネジの挿入孔が設けられ、前記長ネジに挿入されるとともに前記連結部に固着される、前記支柱の内径よりも小径である円盤状の第３の調整用プレートと、を有し、
無負荷状態においては、前記第２の調整用プレートが前記支柱の後面から離隔しており、前記踏み板を踏み込んだとき、前記長ネジが前記第２の調整用プレートが前記支柱の後面に当接することを特徴とする。
【０００８】
本考案のポンプ式容器用スタンドは、好ましくは、
前記台座上には、前記踏み板の下端部が載置される滑り止め用マットが取り付けられており、
前記踏み板が、前記支持部の裏面と前記踏込み部の裏面とのなす角度が１７０°を基準としてプラスマイナス３°以内となるように形成されており、
前記調整用ナットが、前記長ネジの全長と前記長ネジの下端から前記調整用ナットの取り付け高さまでの比率が１００：３６ないし１００：３８となる位置に取り付けられており、
前記第１の調整用プレートの直径が、前記第２及び第３の調整用プレートの直径よりも小さく設定されており、
前記第１ないし第３の調整用プレートの各挿入孔が、前記支柱の前面側に偏心した位置に設けられている。
【考案の効果】
【０００９】
本考案によれば、簡易かつ安価に製造することが可能なポンプ式容器用スタンドを提供することができる。加えて、本考案によれば、踏み板（ペダル）を踏み込んだとき長ネジが弓なりに湾曲するため、バネのような踏み心地を実現することができる。
【図面の簡単な説明】
【００１０】
【図１】本発明の一実施例であるポンプ式容器用スタンドの正面図である。
【図２】図１に示すポンプ式容器用スタンドの背面図である。
【図３】図１に示すポンプ式容器用スタンドの右側面図である。
【図４】図１に示すポンプ式容器用スタンドの使用状態の一例を示す図である。
【図５】図１に示すポンプ式容器用スタンドの内部構造を右側面方向から示した断面図である。
【図６】調整用プレートの一例を拡大して示す平面図である。
【図７】図１に示すポンプ式容器用スタンドの内部の作動状態を模式的に示した図であり、（Ａ）は無負荷状態における一例を示す図であり、（Ｂ）は踏み板を踏み込んだときの状態を示す図である。
【考案を実施するための形態】
【００１１】
以下、適宜図面を参照しつつ本考案を具体的に説明するが、本考案は図面に示す実施例に限定されるものではなく、本考案の要旨を変更しない限りにおいて適宜変更可能である。
【００１２】
図１は、本発明の一実施例であるポンプ式容器用スタンド１を示す正面図であり、図２は、ポンプ式容器用スタンド１の背面図、図３は、ポンプ式容器用スタンド１の右側面図である。図４は、ポンプ式容器用スタンド１の使用状態の一例を示す図である。ポンプ式容器用スタンド１は、図４に示すように、ポンプ式容器Ｖを載置した状態で、踏み板５を足で踏むことにより、手を使うことなく、ポンプ式容器Ｖのヘッドを押し込んで内容物を吐出ないし噴霧させることが可能な足踏み式のスタンドであるが、従来のものとは異なり、内部構造、特に、ペダルの踏込み力をポンプ式容器のヘッドに伝えるまでの機構が簡素であり、特殊な部品を多用せず、一般的・汎用的な部品を用いて各構成部品を容易に製造することができ、かつ、組み立ても容易である。
【００１３】
図５は、ポンプ式容器用スタンド１の内部構造を右側面方向から示した断面図である。図５に示すように、ポンプ式容器用スタンド１は、スタンド本体と、踏み板５と、長ネジ６と、押し板７と、調整用ナット８と、調整用プレート１１、１２、１３とを有する。踏み板５及び押し板７は支柱２の前面側に配置され、長ネジ６、調整用ナット８及び調整用プレート１１、１２、１３のそれぞれはスタンド本体の内部に配置されている。以下、各構成要素について詳説する。
【００１４】
スタンド本体は、下端側と上端側のそれぞれに開口部２０１、２０２が設けられた前面を備える略角筒状の支柱２、支柱２が立設される平板状の台座３、及び、支柱２の前面側略中間部に取り付けられる容器台４により構成される。支柱２は、市販の角パイプ（断面正方形）を用いて、一側面にレーザー加工により開口部２０１、２０２を設けることにより形成される。本実施例においては、厚さ１．６ｍｍ、外径サイズ角３１×３１ｍｍ、長さ１０５０ｍｍ、厚さ１．６ｍｍの角パイプ（ＳＳ材）に対し、幅１７ｍｍ×高さ８０ｍｍの開口部２０１、２０２を設けている。これらの開口部２０１、２０２が設けられた面を前面として、平板状の台座３に支柱２が垂直に溶接されている。支柱２の上端は、鋼板２１が溶接されている。図２に示すように、使用時には、容器台４に載せられたポンプ式容器Ｖを、バンド２２を用いて支柱２に巻き付けて位置ずれを防止するようにしても良い。
【００１５】
本実施例においては、容器台４は、略水平に配置される載置面部と、一対のボルト穴が設けられ支柱２の前面に当接する取付け面部とにより構成される側面視略Ｌ字状の鋼製部材であり、前記ボルト穴のそれぞれに挿入されるＵ字ボルト３１（Ｍ６Ｕ字ボルト、ユニクロメッキ）、蝶ナット３２、及びワッシャーにより支柱２の任意の高さ位置に着脱可能に取り付けられている。容器台４は、ボルト穴を穿設した鋼板（本実施例においては、１２０ｍｍ×１００ｍｍ、厚さ２．３ｍｍのＳＳ材）を所定の位置で９０°折り曲げることにより製作することができる。容器台４の取り付け高さは、ポンプ式容器Ｖの高さ寸法や首の長さ等に応じて調整される。容器台４に載せられたポンプ式容器Ｖの位置ズレを防止するため、載置面部にマット３３を取り付けるようにしても良い。また、Ｕ字ボルト３１が接する箇所にフェルト３４を巻き付けるようにしても良い。
【００１６】
踏み板５は、長ネジ装着孔が設けられ支柱の下端側開口部２０２から挿入される支持部５０１、及び、支持部５０１に対して斜め下向きに設けられ台座３上に傾斜して配置される踏込み部５０２を備える、上面視凸形状の鋼製部材（ＳＳ材）である。踏み板５は、例えば、凸形状に鋼板を切断加工した後、突部（支持部５０１）に長ネジ装着孔を穿設し、支持部５０１に対して踏込み部５０２を斜め下向きに折り曲げることにより製作することができる。本実施例においては、支持部５０１の裏面と踏込み部５０２の裏面とのなす角度αが約１７０°であり、踏込み部５０２は履物を履いた状態でも踏むことの出来る程度の広さ（１００ｍｍ×７５ｍｍ）に設定されている。
【００１７】
長ネジ６は、支柱２の内部に配置され、下端部が支持部５０１の長ネジ装着孔に挿入され、緊結具を用いて締結されることにより台座３から所定の高さ以上離隔した状態で保持される。すなわち、長ネジ６は、その下端部が前述した形状の踏み板５に締結されることにより、台座３の表面から離隔した状態（浮いた状態）で、支柱２の内壁面に立て掛けられた状態で保持されている。長ネジ６としては、踏み板５を足で踏み込んだときに湾曲し、踏み板から足を離した状態（無負荷状態）において元の形状に復帰するサイズのものが選択される。本実施例においては、長ネジとしては、Ｍ６×１０００ｍｍ（ＳＳ材）が選択され、緊結具としては、Ｍ６ナット６１及びＭ６用スプリングワッシャーが用いられている。また、台座３上には、好ましくは、踏み板５の下端部が載置されるマット５１が取り付けられる。マット５１上に踏み板５を載置することにより、踏み板５の踏み心地が良くなるとともに、台座３上で踏み板５が横滑りし難くなる。
【００１８】
押し板７は、支柱２の上端側開口部２０１から挿入され長ネジ６の上端部に締結される連結部７０１と、容器台４の上方に配置される本体部７０２とを備える、上面視凸形状の鋼製部材である。押し板７は、例えば、凸形状に鋼板を切断加工した後、連結部７０１に長ネジ装着孔を穿設することにより製作することができ、本実施例においては、Ｍ６ナット７１及びＭ６用スプリングワッシャーを用いて長ネジ６に締結されている。本体部７０２は、踏み板５の踏込み動作に連動して昇降する。なお、本体部７０２の裏面には、スポンジゴムが取り付けられている。
【００１９】
調整用ナット８は、長ネジ６に螺入されて、その中間より下端部寄りの位置に取り付けられる。
【００２０】
図６は、調整用プレートの一例を拡大して示す平面図である。第１ないし第３の調整用プレート１１、１２、１３により、支柱２内における長ネジ６の配置や湾曲時のたわみ量が調整される。第１の調整用プレート１１は、図６に示すように、長ネジ６の挿入孔１１１が設けられ、長ネジ６に挿入されるとともに踏み板５の支持部５０１に固着される、支柱２の内径よりも小径である円盤状の塩化ビニル樹脂製の部材（本実施例においては、直径２７ｍｍ、厚さ1．5ｍｍ）である。
【００２１】
第２の調整用プレート１２は、長ネジ６の挿入孔が設けられ、長ネジ６に挿入されて調整用ナット８に揺動可能に掛け止められる、支柱２の内径よりも小径である円盤状の塩化ビニル樹脂製の部材（本実施例においては、直径２７ｍｍ、厚さ1．5ｍｍ）である。第２の調整用プレート１２は、図５に示す第１の調整用プレート１１と同一形状であるが、第１の調整用プレート１１とは異なり、調整用ナット８に対して固定されていない。
【００２２】
第３の調整用プレート１３は、長ネジ６の挿入孔が設けられ、長ネジ６に挿入されるとともに押し板７の連結部７０１に固着される、支柱２の内径よりも小径である円盤状の塩化ビニル樹脂製の部材（本実施例においては、直径２６ｍｍ、厚さ1．5ｍｍ）である。
【００２３】
図７は、ポンプ式容器用スタンド１の内部の作動状態を模式的に示した図であり、（Ａ）は無負荷状態における一例を示す図であり、（Ｂ）は踏み板５を踏み込んだときの状態を示す図である。無負荷状態においては、第２の調整用プレート１２が支柱２の後面から離隔している（図７（Ａ）参照）。一方、踏み板５を踏むと、支持部５０１が押し下げられることにより長ネジ６が徐々に湾曲しながら下方に移動するとともに、踏み板５を最後まで踏み込んだ状態においては、第２の調整用プレート１２が支柱２の後面に当接し、押し板７が前面に突き出るような状態で湾曲する（図７（Ｂ）参照）。このような作動により、踏み板５を踏み込むことにより、押し板７を押し下げて、ポンプ式容器Ｖのヘッドを押し下げることができる。このヘッドの押し下げ量は、調整用ナット８の取付け位置を操作し、第２の調整用プレート１２の位置を調節して、長ネジ６の湾曲（たわみ量）を変えることで調整することができる。次いで  踏み板５から足を離すと、長ネジ６は、湾曲した状態から図５（Ａ）の状態に復元する。長ネジ６が踏込み力に応じて板バネのように滑らかに変形するため、踏み心地が良い。
【００２４】
このように本考案に係るポンプ式容器用スタンドは、ペダルの踏込み力をポンプ式容器のヘッドに伝えるまでの機構が簡素であり、簡易かつ安価に製造することができるが、その構成が簡易であることから、最適な踏み心地や押し下げ量（ストローク）を実現するためには、各構成部材の寸法や取付け位置の設定が重要となる。この点、考案者の知見によれば、ポンプ式容器用スタンド１は、好ましくは、（１）踏み板５が、支持部５０１の裏面と踏込み部５０２の裏面とのなす角度（内角）が１７０°を基準としてプラスマイナス３°以内となるように形成されており、（２）調整用ナット８が、長ネジ６の全長と長ネジ６の下端から調整用ナット８の取り付け高さまでの比率が１００：３６ないし１００：３８となる位置に取り付けられており、（３）第１の調整用プレート１１の直径が第２の調整用プレート１２の直径よりも小さく設定されており、（４）第１ないし第３の調整用プレート１１、１２、１３の各挿入孔が、支柱２の前面側に偏心した位置に設けられるが、更に好ましくは、（１）踏み板５が、支持部５０１の裏面と踏込み部５０２の裏面とのなす角度（内角）が１７０°となるように形成されており、（２）調整用ナット８が、長ネジ６の全長（１０００ｍｍ）と長ネジ６の下端から調整用ナット８の取り付け高さまでの比率が１００：３７となる位置（下端から３７０ｍｍの位置）に取り付けられており、（３）第１の調整用プレート１１の直径が約２６ｍｍで、第２及び第３の調整用プレート１２、１３の直径（約２７ｍｍ）よりも１ｍｍ程度小さく設定されており、（４）第１ないし第３の調整用プレート１１、１２、１３の各挿入孔が、前面側端部（外縁）から円中心に向けて約７．５ｍｍ離れた位置（ａ＝７．５）に直径約７ｍｍの大きさ（第１の調整プレート１１ついていえば中心位置から支柱２の前面側に約５．５ｍｍ偏心した位置、第２及び第３の調整プレート１２，１３についていえば中心位置から支柱２の前面側に約６ｍｍ偏心した位置）に直径約７ｍｍの大きさで設けられている。
【００２５】
本考案は、上記実施の形態ないし実施例に限定されず、その考案の趣旨を逸脱しない範囲で種々変形実施が可能である。押し板７や踏み板５等の人体が接触する可能性のある部材については、好ましくは面取り加工が施される。
【産業上の利用可能性】
【００２６】
本考案は、各種ポンプ式容器の足踏み式スタンドとして利用できる。
【符号の説明】
【００２７】
１      ポンプ式容器用スタンド
２      支柱
２０１  上端側開口部
２０２  下端側開口部
３      台座
４      容器台
５      踏み板
５０１  支持部
５０２  踏込み部
６      長ネジ
７      押し板
７０１  連結部
７０２  本体部
８      調整用ナット
１１    第１の調整用プレート
１２    第２の調整用プレート
１３    第３の調整用プレート
Ｖ      ポンプ式容器
【図１】
0003229159.tif 000003
【図２】
0003229159.tif 000004
【図３】
0003229159.tif 000005
【図４】
0003229159.tif 000006
【図５】
0003229159.tif 000007
【図６】
0003229159.tif 000008
【図７】
0003229159.tif 000009